(57)【要約】【課題】  レーザー光が記録媒体の記録層に発生した高温を効果的に排除する記録媒体及びその製造方法を提供する。【解決手段】  本発明に係わる記録媒体は、基板と、前記基板に形成された記録層と、前記記録層に形成された熱伝導薄膜層と、前記熱伝導薄膜層に形成された反射層とを備える。【選択図】  図４
2004335074.tif 000002
【特許請求の範囲】
【請求項１】
基板と、前記基板に形成された記録層と、前記記録層に形成された熱伝導薄膜層と、前記熱伝導薄膜層に形成された反射層とを備えることを特徴とする記録媒体。
【請求項２】
前記反射層に形成された保護層とをさらに備えることを特徴とする請求項1に記載の記録媒体。
【請求項３】
前記熱伝導薄膜層は、ダイアモンド薄膜層または擬似ダイアモンド薄膜層であることを特徴とする請求項1に記載の記録媒体。
【請求項４】
前記記録媒体は、追記型光学記録媒体、書換え型光学記録媒体、ホログラフィックデータ記録媒体のうちの何れかであることを特徴とする請求項1に記載の記録媒体。
【請求項５】
基板を用意するステップと、前記基板に記録層を形成するステップと、前記記録層に熱伝導薄膜層を形成するステップと、前記熱伝導薄膜層に反射層を形成するステップと、を含むことを特徴とする記録媒体の製造方法。
【請求項６】
前記反射層に保護層を形成するステップとをさらに含むことを特徴とする請求項5に記載の記録媒体の製造方法。
【請求項７】
前記熱伝導薄膜層は、ダイアモンド薄膜層または擬似ダイアモンド薄膜層であることを特徴とする請求項5に記載の記録媒体の製造方法。
【請求項８】
前記記録媒体は、追記型光学記録媒体、書換え型光学記録媒体、ホログラフィックデータ記録媒体のうちの何れかである、ことを特徴とする請求項5に記載の記録媒体の製造方法。
【発明の詳細な説明】
【技術分野】
【０００１】
本発明は、記録媒体及びその製造方法に関し、特に、記録層を有する記録媒体及びその製造方法に関する。
【背景技術】
【０００２】
情報時代、及びマルチメディア時代に向けて、消費者が記録媒体容量の要請が急激に高まっている。そのうち、光記録媒体は、大量のデータを長く保存でき、しかも携帯できるため、データ保存方式として広く利用されている。
【０００３】
光記録媒体において、ユーザーは、追記型と書換え型の光記録媒体により個人のデータを保存できるため、追記型と書換え型光記録媒体は、非常に大な市場となっている。
上記追記型と書換え型光記録媒体は、例えばCD-R/RW、DVD-R/RW、DVD+R/RW、DVD-RAMなどであり、これら光記録媒体は、その記録層により、データを書き込みまたは削除する。    即ち、レーザー光により記録層を照射する際に、記録層の一部に高温を発生させ、その材料を変化させることにより、データを書き込むことができるように構成されている。以下、CD-Rを例としてその構成を説明する。
図1に示すように、光記録媒体1は、一般に、透明基板11と、記録層12と、金または銀などの金属材料から構成された反射層13と、樹脂から構成された保護層14と、を備える。
記録層12には、例えばフタロシアニン、アゾ化合物などの有機物が含まれ、この有機物は、レーザー光に照射された後、レーザー光が焦点合わせを行うことにより発生した高温のため、結晶構造が変化し、これによりピットを形成し、データを書き込むことができる。
さらに、記録層12には、例えばGe-Sb-Te、やAg-In-Sb-Teなどの金属が含まれることもでき、この金属は、レーザー光に照射された後、レーザー光が焦点合わせを行うことにより発生した高温のため、相変化が発生し、その反射率を変化することにより、データの書き込むことができる。
【発明の開示】
【発明が解決しようとする課題】
【０００４】
上述したように、光記録媒体の容量の増大に伴い、記録層に形成された最短ピットの長さも減りつつある。図２と３に示すように、光記録媒体2と3は、それぞれCD-RとDVD-Rであり、その最短ピットの長さが、それぞれ0.83μmと0.4μmであり、そのトラックピッチは、それぞれ1.6μmと0.74μmである。
従って、光記録媒体2と3は、その保存容量がそれぞれ650MBと4.7GB以上であるため、光記録媒体3の保存容量は、光記録媒体2の保存容量より遥かに大きい。ただし、記録層のピットが段々小さくなるため、データを記録するためのレーザー光が記録層に形成した光スポットも、相対に縮小する必要がある。
しかしながら、レーザー光の合焦による高温は、即時に消散できないため、熱量が蓄積または拡散する現象が発生し、その結果、形成されたピットは、所期より大きくなり、記録媒体の記録品質と、記録したデータの精細度、例えばジッター値などが影響される。
さらに、このような問題は、次世代の青色レーザー記録媒体やホログラフィックデータ記録媒体（holographic data storage medium）にとって、さらに重要になる。
【０００５】
従って、レーザー光が記録媒体の記録層に発生した高温を効果的に排除し、記録媒体の記録品質と記録したデータの信頼性を確保することは、現在光学記録媒体の製造技術における重要な課題の一つになっている。
【０００６】
本発明は、上記の問題を鑑みてなされたものであり、その課題は、レーザー光が記録媒体の記録層に発生した高温を効果的に排除する記録媒体及びその製造方法を提供することにある。
【課題を解決するための手段】
【０００７】
上記目的を達成するために、本発明に係わる記録媒体は、基板と、前記基板に形成された記録層と、前記記録層に形成された熱伝導薄膜層と、前記熱伝導薄膜層に形成された反射層とを備えてことを特徴とする。上記熱伝導薄膜層は、ダイアモンド薄膜層または擬似ダイアモンド薄膜層である。
【０００８】
さらに、本発明に係わる記録媒体の製造方法は、基板を用意するステップと、前記基板に記録層を形成するステップと、前記記録層に熱伝導薄膜層を形成するステップと、前記熱伝導薄膜層に反射層を形成するステップとを含むことを特徴とする。
【発明の効果】
【０００９】
上述したように、本発明に係わる記録媒体及びその製造方法は、記録層と反射層との間に熱伝導薄膜層を形成するため、この熱伝導薄膜層によりレーザー光が記録層に発生した高温を効果的に排除することができ、記録媒体の記録品質と記録したデータの信頼性を確保することができる。
【発明を実施するための最良の形態】
【００１０】
以下、図面を参照しながら、本発明の好適な実施の形態における記録媒体及びその製造方法について説明する。
【００１１】
図４に示すように、本発明の実施例における記録媒体4は、基板41と、記録層42と、熱伝導薄膜層43と、反射層44と、保護層45とを備える。
【００１２】
本実施例において、基板41は、例えば射出成形により形成基板41に形成され、その材質が、例えばCD-RまたはCD-RWの基板（厚さは、1.2mm）、DVD-RまたはDVD-RWの基板（厚さは0.6mm）、DVD-RAM、青色レーザー記録媒体、ホログラフィックデータ記録媒体の基板などの透明基板である。
【００１３】
記録層42は、基板41に形成される。記録層42には、例えばフタロシアニン、アゾ化合物などの有機物が含まれ、この有機物は、レーザー光に照射された後、レーザー光が焦点合わせを行うことにより発生した高温のため結晶構造が変化し、これによりデータを書き込むことができる。
また、記録層42には、例えばGe-Sb-Te、やAg-In-Sb-Teなどの金属が含まれることもでき、この金属は、レーザー光に照射された後、レーザー光が焦点合わせを行うことにより発生した高温のため、相変化が発生し、これにより、データを書き込むことができる。
【００１４】
熱伝導薄膜層43は、レーザー光が記録層42に発生した高温を効果的に排除するために、記録層42に形成される。本実施例において、熱伝導薄膜層43は、熱伝導率の高い材料により構成され、例えばダイアモンド薄膜層または擬似ダイアモンド薄膜層である。
ここで、ダイアモンドまたは擬似ダイアモンド薄膜層の熱伝導率は、従来の高熱伝導材料より数倍も高いので（例えば銅より3倍も高い）、レーザー光が記録層に発生した高温を迅速かつ効果的に排除することができる。
さらに、ダイアモンドまたは擬似ダイアモンド薄膜は、その結晶構成がダイアモンド立方晶系（Diamond Cubic system）であるため、すべての材料において最大な密度を有し、しかも最強な連結鎖を有するので、元素拡散を効果的に防止でき、さらに記録層42の材料的特性を影響することを回避することもできる。
【００１５】
図４に示すように、反射層44と保護層45は、順次に熱伝導薄膜層43に形成される。本実施例において、反射層44は、例えば金、銀などの金属から構成される。保護層45は、一般に樹脂から構成され、記録媒体4の各層材料を保護する。
【００１６】
なお、本発明に関わる記録媒体4は、例えばCD-R/RW、DVD-R/RW、DVD+R/RW、DVD-RAMや、次世代の青色レーザー記録媒体や、ホログラフィックデータ記録媒体である。ここで、記録媒体4は、DVD-RAMである場合、反射層44と基板41との間にさらに上誘電層と下誘電層とを形成する。
同様に、記録媒体4は、上述した他の種類の記録媒体である場合、その基本構成に応じて、任意に所期の層を形成することができる。
【００１７】
以下、本発明に係わる記録媒体の製造方法を説明する。
【００１８】
図５は、本発明に係わる記録媒体の製造方法を説明するフロー図である。図５に示すように、まず、ステップ51では、基板を用意する。本実施例において、基板は、従来のCD-R/RW、DVD-R/RW、DVD+R/RW、DVD-RAMなど光記録媒体の基板でもよく、青色レーザー記録媒体またはホログラフィックデータ記録媒体の基板でもよい。
【００１９】
次に、ステップ52では、上記基板に記録層を形成する。本実施例において、記録層は、スパッタリングまたはスピンコーテイングにより形成され、その材質が有機物または金属を含む材質である。
【００２０】
続いて、ステップ53では、上記記録層に熱伝導薄膜層を形成する。本実施例において、熱伝導薄膜層は、ダイアモンド薄膜層または擬似ダイアモンド薄膜層であり、例えばプラズマ強化型化学気相堆積（Plasma Enhanced Chemical Vapor Deposition, PECVD）などの堆積法により形成される。
【００２１】
その後、ステップ54では、上記熱伝導薄膜層に反射層を形成する。最後に、ステップ55では、上記反射層に保護層を形成する。
【００２２】
以上、本発明の実施の形態を図面を参照して詳述してきたが、具体的な構成は、この実施例に限られるものではなく、本発明の要旨を逸脱しない範囲の設計変更等があっても、本発明に含まれる。
【図面の簡単な説明】
【００２３】
【図１】従来の光記録媒体を示す図である。
【図２】従来の光記録媒体の一部分を拡大する図である。
【図３】他の従来の光記録媒体の一部分を拡大する図である。
【図４】本発明に係わる光記録媒体を示す図である。
【図５】本発明に係わる光記録媒体の製造方法を説明するフロー図である。
【符号の説明】
【００２４】
1  光記録媒体
11  透明基板
12  記録層
13  反射層
14  保護層
2  光記録媒体
3  光記録媒体
4  記録媒体
41  基板
42  記録層
43  熱伝導薄膜層
44  反射層
45  保護層
【図１】
2004335074.tif 000003
【図２】
2004335074.tif 000004
【図３】
2004335074.tif 000005
【図４】
2004335074.tif 000006
【図５】
2004335074.tif 000007